(57)【要約】【課題】折畳状態の高さを従来より低くすることが可能なコンテナの提供を目的とする。【解決手段】本発明のコンテナ１０の１対の第１側壁１１には、両側部から内側に突出して１対の第２側壁２１を外側から支持する第１及び第２の支持突部７１，７３と、折畳状態で下側に位置したときに上側の第１側壁１１の第１と第２の支持突部７１，７３を受容する第１と第２の突部受容部７６，７７とが備えられ、それら第１と第２の突部受容部７６，７７が第１側壁１１を厚さ方向に貫通した構造になっている。【選択図】図２
2020090291.tif 000002
【特許請求の範囲】
【請求項１】
平面形状が四角形のベース部の外縁部に、互いに対向する１対の第１側壁の下端部と、それらとは別方向で互いに対向する１対の第２側壁の下端部とが回動可能に連結され、前記１対の第１側壁及び前記１対の第２側壁が起立した組立状態から、前記ベース部上に前記１対の第２側壁が倒されてから前記１対の第１側壁が倒されて折畳状態になり、その折畳状態で前記１対の第１側壁同士が上下に重なり合うコンテナにおいて、
前記１対の第１側壁の両側部から内側に突出して前記組立状態で前記１対の第２側壁の外面に重なる複数の支持突部と、
前記１対の第１側壁に形成され、前記折畳状態で下側に位置したときに上側の前記第１側壁の前記複数の支持突部を受容する複数の突部受容部と、を有し、
それら複数の突部受容部には、前記第１側壁を厚さ方向に貫通する貫通構造の突部受容部が含まれているコンテナ。
【請求項２】
前記貫通構造の突部受容部は、前記第１側壁の横方向の端面より内側に離れた位置で前記第１側壁を厚さ方向に貫通する孔形状をなしている請求項１に記載のコンテナ。
【請求項３】
前記ベース部の外縁部には、前記折畳状態で下側の第１側壁の前記支持突部を受容するベース部側突部受容部が備えられている請求項１又は２に記載のコンテナ。
【請求項４】
前記貫通構造の突部受容部は、前記組立状態で前記第１側壁の内側から前記第２側壁によって覆われる請求項１乃至３の何れか１の請求項に記載のコンテナ。
【発明の詳細な説明】
【技術分野】
【０００１】
本開示は、ベース部の外縁部に、１対の第２側壁及び１対の第１側壁の下端部が回動可能に連結され、ベース部上に１対の第２側壁を倒してから１対の第１側壁を倒して折畳状態になるコンテナに関する。
【背景技術】
【０００２】
従来、この種のコンテナとして、１対の第１側壁の両側部から内側に突出する複数の支持突部が、組立状態で第２側壁に外側から重なって第２側壁の外側への傾動を規制するものが知られている（例えば、特許文献１参照）。
【先行技術文献】
【特許文献】
【０００３】
【特許文献１】特開２００３−１５５０３２号公報（図１，図２，図１７）
【発明の概要】
【発明が解決しようとする課題】
【０００４】
ところで、上述したコンテナには、折畳状態で１対の第１側壁が上下に重なり合うものがある。そのようなコンテナでは、第１側壁同士の重ね合わせ高さが折畳状態のコンテナ全体の高さに影響を与える。このため、第１側壁同士の重ね合わせ高さを抑えるべく、各第１側壁の外面には複数の突部受容部が設けられ、折畳状態で下側の第１側壁の複数の突部受容部に上側の第１側壁の複数の支持突部が受容されるようになっている。しかしながら、第１側壁同士の重ね合わせ高さを更に低くして、折畳状態のコンテナの高さを更に低くしたいという要望がある。
【課題を解決するための手段】
【０００５】
上記課題を解決するためになされた請求項１の発明は、平面形状が四角形のベース部の外縁部に、互いに対向する１対の第１側壁の下端部と、それらとは別方向で互いに対向する１対の第２側壁の下端部とが回動可能に連結され、前記１対の第１側壁及び前記１対の第２側壁が起立した組立状態から、前記ベース部上に前記１対の第２側壁が倒されてから前記１対の第１側壁が倒されて折畳状態になり、その折畳状態で前記１対の第１側壁同士が上下に重なり合うコンテナにおいて、前記１対の第１側壁の両側部から内側に突出して前記組立状態で前記１対の第２側壁の外面に重なる複数の支持突部と、前記１対の第１側壁に形成され、前記折畳状態で下側に位置したときに上側の前記第１側壁の前記複数の支持突部を受容する複数の突部受容部と、を有し、それら複数の突部受容部には、前記第１側壁を厚さ方向に貫通する貫通構造の突部受容部が含まれているコンテナである。
【０００６】
請求項２の発明は、前記貫通構造の突部受容部は、前記第１側壁の横方向の端面より内側に離れた位置で前記第１側壁を厚さ方向に貫通する孔形状をなしている請求項１に記載のコンテナである。
【０００７】
請求項３の発明は、前記ベース部の外縁部には、前記折畳状態で下側の第１側壁の前記支持突部を受容するベース部側突部受容部が備えられている請求項１又は２に記載のコンテナである。
【０００８】
請求項４の発明は、前記貫通構造の突部受容部は、前記組立状態で前記第１側壁の内側から前記第２側壁によって覆われる請求項１乃至３の何れか１の請求項に記載のコンテナである。
【発明の効果】
【０００９】
請求項１のコンテナでは、第１側壁の両側部から内側に突出する複数の支持突部が、組立状態で、１対の第２側壁の外面に重なって第２側壁の外側への傾動を規制する。また、折畳状態では、上側の第１側壁の複数の支持突部が下側の第１側壁の複数の突部受容部に受容される。ここで、本発明のコンテナでは、複数の突部受容部に、第１側壁を厚さ方向に貫通する貫通構造の突部受容部が含まれているので、上側の第１側壁の支持突部と下側の第１側壁との干渉による第１側壁同士の重ね合わせ高さの制限がなくなり、そのような制限があった従来のものより第１側壁同士の重ね合わせ高さを抑えることができる。これにより、折畳状態のコンテナの高さを従来より低くすることができる。
【００１０】
貫通構造の突部受容部は、第１側壁の横方向の端面に開放した切欠き形状であってもよいし、請求項２のコンテナの貫通構造の突部受容部のように、第１側壁の横方向の端面より内側に離れた位置で第１側壁を厚さ方向に貫通する孔形状であってもよい。突部受容部を孔形状とすれば、切欠き形状とした場合に比べて第１側壁の強度が高くなると共に、異物が引っ掛かることがなくなる。
【００１１】
請求項３のコンテナでは、ベース部の外縁部には、折畳状態で下側の第１側壁の支持突部を受容するベース部側突部受容部が備えられているので、支持突部とベース部との干渉による第１側壁とベース部の重ね合わせ高さの制限が減るか無くなり、第１側壁とベース部の重ね合わせ高さを抑えることができる。また、折畳状態で支持突部が突部受容部を貫通して下方に突出しても、その突出部分をベース部側突部受容部に受容することができる。
【００１２】
請求項４のコンテナでは、貫通構造の突部受容部は、組立状態で第１側壁の内側から第２側壁によって覆われるので見栄えがよくなり、収容物の飛び出しや収容物や異物の引っ掛りを防ぐことができる。
【図面の簡単な説明】
【００１３】
【図１】本実施形態に係るコンテナの組立状態の斜視図
【図２】第１側壁の外面側の部分拡大斜視図
【図３】第１側壁の内面側の部分拡大斜視図
【図４】第２側壁の外面側の部分拡大斜視図
【図５】第２側壁の内面側の部分拡大斜視図
【図６】ベース部の斜視図
【図７】コンテナの上部の部分拡大斜視図
【図８】コンテナのコーナー部の部分拡大斜視図
【図９】折畳状態のコンテナの斜視図
【図１０】折畳状態のコンテナの一部破断斜視図
【図１１】折畳状態のコンテナの一部破断斜視図
【図１２】折畳状態のコンテナの段積み状態の側面図
【図１３】組立状態のコンテナの部分拡大側面図
【発明を実施するための形態】
【００１４】
以下、図１〜図１３に示されたコンテナ１０の実施形態について説明する。図１に示すように、本実施形態のコンテナ１０は、平面形状が長方形で上面が開口した直方体状をなし、前記長方形の１対の長辺部分に位置する１対の第１側壁１１と、１対の短辺部分に位置する１対の第２側壁２１とのそれぞれの下端部が、底に位置するベース部３０にそれぞれ回動可能に連結されている。
【００１５】
以下、第１側壁１１と第２側壁２１とを区別しない場合には、単に「側壁１１，２１」という。なお、本実施形態では、コンテナ１０の平面形状が長方形で第１側壁１１が第２側壁２１より長いが、その逆でもよく、コンテナ１０の平面形状は正方形であってもよい。
【００１６】
側壁１１，２１とベース部３０との連結部分は、例えば以下の構造になっている。即ち、図２及び図４に示すように、側壁１１，２１の下面からは、複数のヒンジアーム６１が垂下され、それら複数の下端部から両側方にヒンジ突部６１Ａ，６１Ａが突出している。また、図６に示すように、ベース部３０のうち１対の長辺側の外縁部からは１対の土手部３１が突出し、それらより低い１対の土手部３２が短辺側の外縁部から突出している。
【００１７】
両土手部３１，３２には、前述の複数のヒンジアーム６１に対応した複数のヒンジ凹部６０が形成されている。そして、各ヒンジアーム６１のヒンジ突部６１Ａが各ヒンジ凹部６０の内部に係合して、側壁１１，２１が、図１に示すように、土手部３１，３２上で起立した起立姿勢と、図９に示すように、ベース部３０上に重ねられた折畳姿勢との間で回動する。また、図１に示すように、全ての側壁１１，２１が起立したコンテナ１０の組立状態では、１対の第２側壁２１は、１対の第１側壁１１の間に収まる。そして、１対の第２側壁２１を先に折り畳み、それら第２側壁２１の上に１対の第１側壁１１を重ねるように折り畳むことで図９に示すようにコンテナ１０を折畳状態にすることができる。
【００１８】
なお、以下の説明においては、土手部３１，３２を区別する場合には、一方の土手部３１を「長辺側土手部３１」といい、他方の土手部３２を「短辺側土手部３２」ということとする。
【００１９】
図６に示すように、長辺側土手部３１の両端部は、短辺側土手部３２側へと直角曲げられてコーナー土手部３１Ｓになっている。また、ベース部３０の下面には、外縁部より内側の領域に下面リブ３５Ｌ（図１１参照）が格子状に張り巡らされている。そして、下面リブ３５Ｌが形成された部分全体が、ベース部３０の外縁部より下方に突出した下面突部３５になっている。
【００２０】
図１に示すように、コンテナ１０の組立状態の強度を上げるために、第１側壁１１の上縁部には第１フラップ４０が回動可能に連結され、第２側壁２１の上縁部には第２フラップ５０が回動可能に連結されている。以下、第１フラップ４０と第２フラップ５０とを区別しない場合には、単に「フラップ４０，５０」という。
【００２１】
本実施形態のフラップ４０，５０は、側壁１１，２１の上縁部に沿って延びる帯板状をなし、それらの内面には補強リブ（図示せず）が張り巡らされ、外面は平坦になっている。そして、ベース部３０と側壁１１，２１との連結と同様に、図７に示すように、側壁１１，２１の上部に形成された複数のヒンジ凹部６０内に、フラップ４０，５０から延びた複数のヒンジアーム６１のヒンジ突部（図示せず）が係合して、各フラップ４０，５０が同図に示された水平姿勢と、そこから上方に９０°回動した起立姿勢（図示せず）との間で回動する。
【００２２】
１対の第１フラップ４０は、水平姿勢になると１対の第２側壁２１の内面間に丁度収まる長さをなし、第２フラップ５０は水平姿勢になると、水平姿勢の１対の第１フラップ４０の間に丁度収まる長さをなしている。また、水平姿勢のフラップ４０，５０の外面（上面）は面一になりかつ、側壁１１，２１の上面より下方に位置する。そして、コンテナ１０が段積されたときに、上段側のコンテナ１０の下面突部３５が、下段側のコンテナ１０の側壁１１，２１の内側に嵌合する。
【００２３】
図７に示すように、第１フラップ４０の長手方向の両端面からは側壁係合突部４３が突出し、それらに対応して第２側壁２１の上部にフラップ係合孔２９が形成されている。そして、第１フラップ４０が水平姿勢になると、側壁係合突部４３がフラップ係合孔２９に係合して、第２側壁２１の外側への傾動を規制しかつ第１フラップ４０に上方から受ける荷重が第２側壁２１で受け止められる。また、第２フラップ５０の長手方向の両端面からはフック形状のフラップ係合突部５１が突出し、それらに対応した形状のフラップ係合孔４１が第１フラップ４０の端寄り位置に形成されている。そして、フラップ４０，５０が水平姿勢になると、フラップ係合突部５１とフラップ係合孔４１とが係合してフラップ４０，５０同士が連結される。
【００２４】
コンテナ１０が折畳状態にされるときには、フラップ４０，５０が起立姿勢にされた状態で側壁１１，２１が折り畳まれる。そして、図示しないが、１対の第２側壁２１も１対の第２フラップ５０も、互いに重なり合うことなく、それぞれベース部３０上に折り畳まれる。その状態で、第２側壁２１及び第２フラップ５０の外面は、ベース部３０の後述する第１のベース部側突部受容部３４（図６参照）の底面と略面一になる。
【００２５】
一方、１対の第１側壁１１は、図９に示すように折畳状態で互いに重ねられる。その際、第１フラップ４０は、図示しないが他方の第１側壁１１の基端部に重ねられる。その状態で、図１２に示すように、上側の第１側壁１１及び第２フラップ５０の外面は、長辺側土手部３１の上面３１Ｊより下方に位置し、それらの間の高低差ｈ１は、コンテナ１０の下面からの下面突部３５の突出量ｈ２と略同一になっている。そして、同図に示すように、折畳状態のコンテナ１０の上に他のコンテナ１０が段積されたときに、上段側のコンテナ１０の下面突部３５が、下段側の折畳状態のコンテナ１０の１対の長辺側土手部３１及び１対のコーナー土手部３１Ｓの内側に嵌合する。
【００２６】
図９に示すように、コンテナ１０が折畳状態になると、第１側壁１１の横方向の両端部（即ち、両側部）は、１対の短辺側土手部３２の上方に位置する。そして、第１側壁１１の両側部の後に詳説する突出部分（第１支持突部７１，第２支持突部７３等）と短辺側土手部３２との干渉を回避するために短辺側土手部３２には、図６に示すように、第１のベース部側突部受容部３４と、第２のベース部側突部受容部３３と第３のベース部側突部受容部３６とが形成されている。
【００２７】
第１のベース部側突部受容部３４は、短辺側土手部３２の横方向の両端部を段付き状に陥没させてなる。各第１のベース部側突部受容部３４の全長は、例えば、横方向の全長の１／５〜１／４の長さをなしている。そして、各第１のベース部側突部受容部３４のうち横方向の略中央より短辺側土手部３２全体の中央側に、前述した第２のベース部側突部受容部３３が形成されている。第２のベース部側突部受容部３３は、短辺側土手部３２のうち第１のベース部側突部受容部３４の底面より下側部分の外面側を段付き状に陥没させてなる。さらに、短辺側土手部３２のうち１対の第１のベース部側突部受容部３４に挟まれた部分には、その中心部に前述のヒンジ凹部６０が配置され、そのヒンジ凹部６０の両側に前述した第３のベース部側突部受容部３６が形成されている。第３のベース部側突部受容部３６は、短辺側土手部３２の内面側を段付き状に陥没させてなる。
【００２８】
上記した組立状態の側壁１１，２１同士の連結強度を高くするために、第１側壁１１の両側部には、図３に示すように上側から順番に、第１支持突部７１、サイドフック７２、第２支持突部７３、第３支持突部７４が間隔を空けて設けられている。
【００２９】
第１支持突部７１は、縦長の長方形の突片構造をなし、第１支持突部７１の上面は第１側壁１１全体の上面と面一であると共に、第１支持突部７１の外面は第１側壁１１全体の横方向の端面１１Ｔと面一になっている。また、第１支持突部７１の内面には、上下方向の中間に段差面が備えられ、第１支持突部７１のうち段差面より上側が肉厚くなっている。そして、その肉厚部分を四角形の係合孔７１Ａが貫通している。
【００３０】
サイドフック７２は、第１側壁１１の内面から水平に突出してから下方に屈曲したフック形状をなしている。また、サイドフック７２は、第１側壁１１の横方向の前記端面１１Ｔより僅かに内側に配置されている。
【００３１】
第２支持突部７３は、第１側壁１１の内面から突出しかつ上下方向に細長い突片の先端部から上下に１対の係止突部７５を突出させた形状をなし、第１側壁１１の横方向から見るとＴ字形状をなしている。また、第２支持突部７３は、上記したサイドフック７２と同様に、第１側壁１１の横方向の前記端面１１Ｔより僅かに内側に配置されている。さらに、第２支持突部７３のうち第１側壁１１の横方向の中央側を向いた面には、上下方向の中央部分の先端から基端までを段付き状に陥没させて凹部７３Ａが形成されている。
【００３２】
第３支持突部７４は、第１支持突部７１の肉厚部分と略同一の形状をなして、四角形の係合孔７４Ａを備えている。
【００３３】
一方、第２側壁２１の両側部には、第１側壁１１の第１支持突部７１、サイドフック７２、第２支持突部７３、第３支持突部７４に対応して、図４に示すように上側から順番に、第１係合突部２２、フック係合孔２３、突部係合孔２４、第２係合突部２５が間隔を空けて設けられている。
【００３４】
第１係合突部２２は、第２側壁２１の外面から突出した角柱体構造をなしている。また、第１係合突部２２のうち第２側壁２１の横方向の端面２１Ｔとは反対側の角部は斜めにカットされている。さらに、第１係合突部２２の外面の縦リブ２１Ａ及び横リブ２１Ｂは、第１係合突部２２の周囲で低くなっている。また、第２係合突部２５も第１係合突部２２と略同一形状をなし、第１係合突部２２の外面の縦リブ２１Ａ及び横リブ２１Ｂは、第２係合突部２５の周囲で低くなっている。
【００３５】
フック係合孔２３は、第２側壁２１の横方向の端面２１Ｔに端面開口２３Ｋを有し、その端面開口２３Ｋより内部が下方に広くなっている。また、フック係合孔２３は、端面開口２３Ｋ以外を第２側壁２１の縦リブ２１Ａ及び横リブ２１Ｂによって包囲されて、第２側壁２１の厚さ方向でフック係合孔２３に奥行きが設けられている。フック係合孔２３内の奥側（奥行き方向のうち第２側壁２１の内面側）には内部突壁２３Ｗが設けられている。内部突壁２３Ｗは、縦長の板状をなし、フック係合孔２３内における端面開口２３Ｋとの対向面と上下の両面とに接続されている。
【００３６】
突部係合孔２４は、第２側壁２１の横方向の端面２１Ｔに端面開口２４Ｋを有し、その端面開口２４Ｋより内部が上下に広くなっている。また、突部係合孔２４は、端面開口２４Ｋ以外を第２側壁２１の縦リブ２１Ａ及び横リブ２１Ｂによって包囲されて、第２側壁２１の厚さ方向で突部係合孔２４に奥行きが設けられている。突部係合孔２４内の奥側には、内部突壁２４Ｗが設けられている。内部突壁２４Ｗは、縦長の板状をなし、突部係合孔２４内における端面開口２４Ｋとの対向面から片持ち梁状に突出している。また、図５に示すように、両内部突壁２３Ｗ，２４Ｗの内面は、第２側壁２１全体の内面と面一になっている。
【００３７】
上記した第１側壁１１の第１支持突部７１、サイドフック７２等と第２側壁２１の第１係合突部２２、フック係合孔２３等とは以下のようにして係合する。折畳状態から１対の第１側壁１１を起立姿勢にしてから第２側壁２１を起こすと、図８に示すように、第２係合突部２５が第３支持突部７４の係合孔７４Ａに係合し、次いで、第２支持突部７３が突部係合孔２４に係合し、次いで、サイドフック７２がフック係合孔２３に係合し、最後に、第１係合突部２２が第１支持突部７１の係合孔７１Ａに係合する。また、図７に示すように、第２支持突部７３の凹部７３Ａに突部係合孔２４の内部突壁２４Ｗが嵌合する。
【００３８】
なお、第２支持突部７３及びサイドフック７２は、第１側壁１１の端面１１Ｔより第１側壁１１の横方向の中央側に位置しているので、端面１１Ｔ側に位置している場合に比べて第２側壁２１が起立姿勢に近づく際の早い段階でフック係合孔２３及び突部係合孔２４に係合し、１対の第１側壁１１の外側への開き変形が抑えられる。
【００３９】
そして、第２側壁２１が起立姿勢になると、第１〜第３の支持突部７１，７３，７４により、第１側壁１１が起立姿勢より外側に倒れることが規制されると共に、第１〜第３の支持突部７１，７３，７４及びサイドフック７２によって１対の第１側壁１１の外側への開き変形が抑えられる。
【００４０】
また、図３に示すように、第１側壁１１の横方向の両端寄り位置の上部には、可撓片１５が設けられている。可撓片１５は、第１側壁１１の一部をスリット１１Ｓによって上下方向に延びる片持ち梁状に切り離してなり、可撓片１５の先端部に設けられた起立係合突部１６が、第１側壁１１の内面から突出している。そして、第２側壁２１が起立する過程で第２側壁２１が起立係合突部１６を通過し、第２側壁２１が起立姿勢になったところで第２側壁２１の内面に起立係合突部１６が係合して、第２側壁２１が起立姿勢に保持される。
【００４１】
さて、コンテナ１０を折畳状態にしたときには、前述したように第１側壁１１同士が上下に重なり合う。その際に、上側の第１側壁１１のサイドフック７２は、下側の第１側壁１１の縦リブ１１Ａ同士の間に空間に収容される。また、第３支持突部７４は、第１側壁１１同士の重なり合わない範囲に位置する。そして、第１支持突部７１、第２支持突部７３、起立係合突部１６に対しては、第１側壁１１同士の間で干渉しないようにするために図３に示すように、第１側壁１１に第１突部受容部７７、第２突部受容部７６、切欠き部７８が形成されている。
【００４２】
具体的には、第１突部受容部７７は、第１側壁１１の下端寄り位置に配置されかつ上下方向に長い長方形をなし、その一方の長辺が第１側壁１１の端面１１Ｔに開口している。なお、第１突部受容部７７に対する下隣に第３支持突部７４が配置されている。
【００４３】
図３に示すように、第２突部受容部７６は、第１側壁１１の上端寄り位置でかつ、第１側壁１１のうち横方向の端面１１Ｔより内側に離れた位置に配置され、第１側壁１１を厚さ方向に貫通する孔形状をなしている。また、第２突部受容部７６は、上下方向に帯状に延び、その上端部にサイドフック７２が配置されている。
【００４４】
図２に示すように、切欠き部７８は、第１突部受容部７７の横隣に配置され、縦リブ１１Ａの一部を例えば台形状に切り欠いてなる。
【００４５】
そして、コンテナ１０が折畳状態になると、図１１に示すように、上側の第１側壁１１の第２支持突部７３が下側の第１側壁１１の第２突部受容部７６を貫通して、下側の第２支持突部７３より僅かに下方に突出すると共に、図示しないが上側の第１側壁１１の第１支持突部７１が下側の第１側壁１１の第１突部受容部７７を貫通して下側の第２支持突部７３より僅かに下方に突出する。さらに、図示しないが上側の第１側壁１１の起立係合突部１６が下側の第１側壁１１の切欠き部７８に受容される。
【００４６】
また、コンテナ１０を折畳状態にしたときには、前述したように第１側壁１１の両側部が短辺側土手部３２の上方に位置する。そして、図１０及び図１１に示すように、短辺側土手部３２の第３のベース部側突部受容部３６に、下側の第１側壁１１の第２支持突部７３とサイドフック７２とが受容される。また、上側の第１側壁１１の第２支持突部７３のうち下側の第１側壁１１の第２突部受容部７６を貫通してその下方に突出した部分も第３のベース部側突部受容部３６に受容される（図１１参照）。
【００４７】
さらに、図９に示すように、短辺側土手部３２の第１のベース部側突部受容部３４には、下側の第１側壁１１の第１と第３の支持突部７１，７４が受容されると共に、第１支持突部７１の先端部が第２のベース部側突部受容部３３に受容される。また、上側の第１側壁１１の第１支持突部７１のうち下側の第１側壁１１の第１突部受容部７７を貫通してその下方に突出した部分も第１のベース部側突部受容部３４に受容される（図１２参照）。
【００４８】
このように本実施形態のコンテナ１０では、第１と第２の突部受容部７６，７７が、第１側壁１１を厚さ方向に貫通する貫通構造をなし、折畳状態で上側の第１側壁１１の第１と第２の支持突部７１，７３が下側の第１側壁１１の第１と第２の突部受容部７６，７７を貫通する。これにより上側の第１側壁１１の第１と第２の支持突部７１，７３と下側の第１側壁１１との干渉による第１側壁１１同士の重ね合わせ高さの制限がなくなり、そのような制限があった従来のものより第１側壁１１同士の重ね合わせ高さを抑えることができる。
【００４９】
また、ベース部３０の第１〜第３のベース部側突部受容部３３，３４，３６は、折畳状態で、下側の第１側壁１１の第１〜第３の支持突部７１，７３，７４を受容すると共に、第１及び第３のベース部側突部受容部３４，３６が貫通構造の第１と第２の突部受容部７６，７７を貫通した第１と第２の支持突部７１，７３の下端部を受容するので、支持突部とベース部３０との干渉による第１側壁１１とベース部３０の重ね合わせ高さの制限も無くなり、第１側壁１１とベース部３０の重ね合わせ高さも抑えることができる。これらにより、折畳状態のコンテナ１０の全体の高さを抑えることができ、コンテナ１０同士の段積み高さを抑えることができる。
【００５０】
また、第２突部受容部７６は、第１側壁１１の横方向の端面１１Ｔに開口した切欠き形状をなしているのに対し、第１突部受容部７７は孔形状をなしているので、切欠き形状とした場合に比べて第１側壁１１の側部の強度が高くなると共に、異物が引っ掛かることがなくなる。なお、第１と第２の突部受容部７６，７７は、図３に示すように、組立状態で第１側壁１１の内側から第２側壁２１によって覆われるので見栄えがよくなり、収容物の飛び出しや収容物や異物の引っ掛りを防ぐことができる。
【００５１】
なお、前記実施形態では、第１〜第３の支持突部７１，７３，７４が、特許請求の範囲の「支持突部」に相当し、第１と第２の突部受容部７６，７７が、特許請求の範囲の「突部受容部」に相当し、第１〜第３のベース部側突部受容部３３，３４，３６が、特許請求の範囲の「ベース部側突部受容部」に相当する。
【００５２】
［他の実施形態］
（１）前記実施形態のコンテナ１０では、折畳状態で第１と第２の支持突部７１，７３が第１と第２の突部受容部７６，７７を貫通してそれらの下方に突出していたが、折畳状態で第１と第２の支持突部７１，７３の一方又は両方が第１と第２の突部受容部７６，７７を下方に突出する位置まで貫通しなくてもよい。
【００５３】
（２）また、前記実施形態のコンテナ１０では、第１と第２の突部受容部７６，７７の両方とも第１側壁１１を貫通していたが、複数の突部受容部のうち一部の突部受容部のみが側壁を貫通した構成としてもよい。
【００５４】
（３）前記実施形態のコンテナ１０には、フラップ４０，５０が備えられていたが、フラップを備えていてなくてもよい。
【符号の説明】
【００５５】
１０    コンテナ
１１    第１側壁
１１Ｔ，２１Ｔ    端面
２１    第２側壁
３０    ベース部
３３，３４，３６    第１〜第３のベース部側突部受容部（ベース部側突部受容部）
７１    第１支持突部(支持突部）
７３    第２支持突部(支持突部）
７４    第３支持突部(支持突部）
７６    第２突部受容部(突部受容部）
７７    第１突部受容部(突部受容部）
【図１】
2020090291.tif 000003
【図２】
2020090291.tif 000004
【図３】
2020090291.tif 000005
【図４】
2020090291.tif 000006
【図５】
2020090291.tif 000007
【図６】
2020090291.tif 000008
【図７】
2020090291.tif 000009
【図８】
2020090291.tif 000010
【図９】
2020090291.tif 000011
【図１０】
2020090291.tif 000012
【図１１】
2020090291.tif 000013
【図１２】
2020090291.tif 000014
【図１３】
2020090291.tif 000015